(57)【要約】【課題】フラッシュする指示標識構造の提供。【解決手段】フラッシュする指示標識構造は、主に、PVC防水ビニル布層の周辺に一定間隔でリングと磁石を分布し、PVC防水ビニル布層表面は複数の「く」の字型反光ビニル布、或いは、三角形反光ビニル布を設置し、且つ、ビニル布の上面に複数のランプを設置し、PVC防水ビニル布層内部にフラッシュ装置を設置して、フラッシュする安全方向引導標識、或いは、車輌故障標識を構成し、使用者はロープでかけるか磁石により適当な箇所に吸着して、後続車に減速徐行するよう促し、運転者を安全な方向に引導する。【選択図】    図１
0003136039.tif 000002
【実用新案登録請求の範囲】
【請求項１】
フラッシュする指示標識構造であって、PVC防水ビニル布層の周辺に一定間隔でリングと磁石を分布し、PVC防水ビニル布層の内部は高周波により複数の「く」の字型反光ビニル布を溶接し、且つ、前記「く」の字型反光ビニル布上面に複数のランプを設置し、前記PVC防水ビニル布層内部にフラッシュ装置を設置して、フラッシュする安全方向引導標識を構成し、使用者はロープでかけるか磁石により適当な箇所に吸着して、後続車に減速徐行するよう促し、運転者を安全な方向に引導することを特徴とする指示標識構造。
【請求項２】
主に、PVC防水ビニル布層周縁に一定間隔でリングと磁石を分布し、PVC防水ビニル布層の内部は高周波により三角形反光ビニル布を溶接し、且つ、前記三角形反光ビニル布上面に複数のランプを設置し、前記PVC防水ビニル布層内部にフラッシュ装置を設置して、車輌故障標識を構成し、使用者はロープでかけるか磁石により適当な箇所に吸着して、後続車に故障車が前方にあることを指示し、運転者に速やかに減速し回避するよう引導することを特徴とする請求項１に記載の指示標識構造。
【請求項３】
前記フラッシュ装置は、電源、スイッチ、ICプログラミング回路板、及び、複数のLED発光ダイオードを直列してなり、
前記電源は電池、或いは、シガレットライターの電力供給ソースであり、
前記スイッチは制御スイッチで、前記LED発光ダイオードの電源を制御することを特徴とする請求項１、及び、２に記載の指示標識構造。
【考案の詳細な説明】
【技術分野】
【０００１】
本考案はフラッシュする指示標識構造に関係し、特に、指示標識はPVC防水ビニル布層からなり、平時は収合して空間を占有せず、使用時に、適当な箇所にロープで掛けたり、磁石により吸着できる指示標識構造に関するものである。
【背景技術】
【０００２】
公知の車両故障用の三角停止板はフレームの各組成板面に反光板を設置し、故障時に後方に設置して、後続車のランプが反光面に照射することにより、後続車に、前方に故障車があり、車道を変更するように告知するものである。この種の静態の三角停止板のフレームでは、警告作用に限りがあり、特に、後続車の速度が極めて速い場合や夜間照明が悪い道路、または、後続車のライトが故障の場合や後続車がヘッドライトを点灯させていない場合、特に雨天などでは反光効果が悪く、警告標識が見えずに、ブレーキが間に合わなかったり、応変能力が悪い状況下で、後続車が故障車に衝突するおそれがある。
【考案の開示】
【考案が解決しようとする課題】
【０００３】
本考案の目的は、上述の問題を解決するフラッシュ指示標識構造を提供することにある。
【課題を解決するための手段】
【０００４】
本考案のフラッシュする指示標識構造は、PVC防水ビニル布層を高周波で溶接してなり、平時は収合して空間を占有せず、使用時、適当な箇所にロープで掛けたり、磁石により吸着でき、スイッチを押して電源をオンにして、LED発光ダイオードに散光を生成させ、後続車に減速徐行するように注意を促し、運転者を安全な方向に引導する。
【考案の効果】
【０００５】
本考案の構造は、平時は収合して空間を占有せず、使用時、適当な箇所にロープで掛けたり、磁石により吸着でき、スイッチによりLED発光ダイオードを発光させ、後続車に注意を促し、運転者を安全な方向に引導する。
【考案を実施するための最良の形態】
【０００６】
まず、図１〜図３は本考案のフラッシュする指示標識構造を示す図で、主に、PVC防水ビニル布層（１１）の周辺に一定間隔でリング（１２）と磁石（１３）を分布し、PVC防水ビニル布層（１１）の内部は高周波により複数の「く」の字型反光ビニル布（１４）を溶接し、且つ、「く」の字型反光ビニル布（１４）上面に複数のランプ（１５）を設置し、PVC防水ビニル布層（１１）内部にフラッシュ装置（２０）を設置して、フラッシュする安全方向引導標識を構成し、使用者はロープでかけるか磁石（１３）により適当な箇所に吸着して、後続車に減速徐行するよう促し、運転者を安全な方向に引導する。
【０００７】
図３で示されるように、本考案のフラッシュ装置（２０）は電源（２１）、スイッチ（２２）、ICプログラミング回路板（２３）、及び、複数のLED発光ダイオード（２４）を直列してなる。
【０００８】
電源（２１）は電池（２１）、或いは、シガレットライター（２１２）の電力供給ソースである。
【０００９】
スイッチ（２２）は制御スイッチで、LED発光ダイオード（２４）の電源（２１）を制御する。
【００１０】
図３と図４で示されるように、本考案のフラッシュする指示標識構造は、PVC防水ビニル布層（３１）周縁に一定間隔でリング（３２）と磁石（３３）を分布し、PVC防水ビニル布層（３１）の内部は高周波により三角形反光ビニル布（３４）を溶接し、且つ、三角形反光ビニル布（３４）上面に複数のランプ（３５）を設置し、PVC防水ビニル布層（３１）内部にフラッシュ装置（２０）を設置して、車輌故障標識を構成し、使用者はロープでかけるか磁石（３３）により適当な箇所に吸着して、後続車に故障車が前方にあることを指示し、運転者に速やかに減速し回避するよう引導する。
【図面の簡単な説明】
【００１１】
【図１】本考案の安全方向引導標識の平面図である。
【図２】本考案の安全方向引導標識のもう一つの実施例による平面図である。
【図３】本考案のフラッシュ装置の構造図である。
【図４】本考案の車輌故障標識の平面図である。
【符号の説明】
【００１２】
１１  PVC防水ビニル布層
１２  リング
１３  磁石
１４  「く」の字型反光ビニル布
１５  ランプ
２０  フラッシュ装置
２１  電源
２１１  電池
２１２  シガレットライター
２２  スイッチ
２３  ICプログラミング回路板
２４  LED発光ダイオード
３１  PVC防水ビニル布層
３２  リング
３３  磁石
３４  三角形反光ビニル布
３５  ランプ
【図１】
0003136039.tif 000003
【図２】
0003136039.tif 000004
【図３】
0003136039.tif 000005
【図４】
0003136039.tif 000006
【手続補正書】
【提出日】平成19年8月6日(2007.8.6)
【手続補正１】
【補正対象書類名】実用新案登録請求の範囲
【補正対象項目名】全文
【補正方法】変更
【補正の内容】
【実用新案登録請求の範囲】
【請求項１】
フラッシュする指示標識構造であって、PVC防水ビニル布層、リング、磁石、「く」の字型反光ビニル布、ランプ等の素子からなり、前記PVC防水ビニル布層の周辺に一定間隔でリングと磁石を分布し、PVC防水ビニル布層の内部は高周波により複数の「く」の字型反光ビニル布を溶接し、且つ、前記「く」の字型反光ビニル布上面に複数のランプを設置し、前記PVC防水ビニル布層内部にフラッシュ装置を設置して、フラッシュする安全方向引導標識を構成し、ロープでかけるか磁石により吸着して、後続車に減速徐行するよう促し、運転者を安全な方向に引導することを特徴とする指示標識構造。
【請求項２】
「く」の字型反光ビニル布は三角形反光ビニル布を設置して、車輌故障標識を構成し、ロープでかけるか磁石により吸着して、運転者に速やかに減速し回避するよう促すことを特徴とする請求項１に記載の指示標識構造。
【請求項３】
前記フラッシュ装置は、電源、スイッチ、ICプログラミング回路板、及び、複数のLED発光ダイオードを直列してなり、
前記電源は電池、或いは、シガレットライターの電力供給ソースであり、
前記スイッチは制御スイッチで、前記LED発光ダイオードの電源を制御することを特徴とする請求項１に記載の指示標識構造。